(57)【特許請求の範囲】
【請求項１】
移動体の移動位置に対応した所望の移動関連情報を、最新のメッセージとして通信端末に送信する情報通信装置であって、
前記移動体の移動位置を緯度経度に照らして測定する位置測定装置を用いて、
前記位置測定装置により前記移動体の移動位置を取得し、位置情報を算出する算出手段と、
時刻を取得する手段と、
位置情報と送信メッセージ情報とを含む移動関連情報を、送信条件としての位置情報および時刻に対応付けして記憶する記憶手段と、
前記算出した位置情報および前記取得した時刻が、前記記憶手段に記憶されている送信条件の位置情報および時刻に一致しているか否かを判断する更新判断手段と、
前記送信条件の位置情報および時刻に一致しない場合、前記記憶手段に記憶されている移動関連情報を更新し、該更新された移動関連情報を前記通信端末に送信する手段と、
前記送信条件の位置情報および時刻に一致した場合、該送信条件の位置情報および時刻に対応した移動関連情報を前記通信端末に送信する手段と
を具えたことを特徴とする情報通信装置。
【請求項２】
移動位置に基づいて、通信端末に所望の移動関連情報を送信する情報通信システムであって、
移動体と、
前記移動体の内部に設置された、請求項１記載の情報通信装置と、
前記移動体の外部に設置され、該移動体の移動位置に関する情報を前記情報通信装置に送信する位置測定装置と、
前記情報通信装置から、送信条件に基づいた所望の移動関連情報を受信する通信端末と
を具えたことを特徴とする情報通信システム。
【請求項３】
移動体の移動位置に対応した所望の移動関連情報を、最新のメッセージとして通信端末に送信する情報通信方法であって、
前記移動体の移動位置を緯度経度に照らして測定する位置測定装置を用いて、
前記位置測定装置により前記移動体の移動位置を取得し、位置情報を算出する工程と、
時刻を取得する工程と、
位置情報と送信メッセージ情報とを含む移動関連情報を、送信条件としての位置情報および時刻に対応付けして記憶手段に記憶する工程と、
前記算出した位置情報および前記取得した時刻が、前記記憶手段に記憶されている送信条件の位置情報および時刻に一致しているか否かを判断する工程と、
前記送信条件の位置情報および時刻に一致しない場合、前記記憶手段に記憶されている移動関連情報を更新し、該更新された移動関連情報を前記通信端末に送信する工程と、
前記送信条件の位置情報および時刻に一致した場合、該送信条件の位置情報および時刻に対応した移動関連情報を前記通信端末に送信する工程と
を具えたことを特徴とする情報通信方法。
【請求項４】
移動位置に基づいて、通信端末に所望の移動関連情報を送信する情報通信方法であって、
位置測定装置は、
緯度経度に照らして測定された移動体の移動位置を示す情報を、前記移動体の内部に設置された情報通信装置に送信する工程
を具え、
前記情報通信装置は、
前記受信した前記移動体の移動位置を取得し、位置情報を算出する工程と、
時刻を取得する工程と、
位置情報と送信メッセージ情報とを含む移動関連情報を、送信条件としての位置情報および時刻に対応付けして記憶手段に記憶する工程と、
前記算出した位置情報および前記取得した時刻が、前記記憶手段に記憶されている送信条件の位置情報および時刻に一致しているか否かを判断する工程と、
前記送信条件の位置情報および時刻に一致しない場合、前記記憶手段に記憶されている移動関連情報を更新し、該更新された移動関連情報を前記通信端末に送信する工程と、
前記送信条件の位置情報および時刻に一致した場合、該送信条件の位置情報および時刻に対応した移動関連情報を前記通信端末に送信する工程と
を具え
前記通信端末は、
前記情報通信装置から、所望の送信条件に対応した移動関連情報を受信する工程
を具えたことを特徴とする情報通信方法。
【発明の詳細な説明】
【０００１】
【発明の属する技術分野】
本発明は、移動体の移動位置に基づいて通信端末に所望のメッセージ情報を送信することが可能な、情報通信装置、情報通信システム、並びに、情報通信方法に関する。
【０００２】
【従来の技術】
従来、携帯端末が位置情報を取得する手段としては、携帯端末にGPS（Global  Positioning  System）等の位置測位機能を有する方法や、携帯端末に通信設備の基地局等の発信機との間で位置測位に関する通信を行う機能を持たす方法等がある。
【０００３】
【発明が解決しようとする課題】
すなわち、携帯端末が独自に位置測位機能を有するか、又は、通信事業者がアンテナ等の通信設備を別途設置し、位置情報を管理する必要がある。
【０００４】
しかし、これらいずれの手法においても、人工衛星からの電波が届きにくい電車、バス、自動車等の移動体の中では、現在の位置を測位できない。
【０００５】
また、通信設備による測位の場合には、測位エリアが大きく１００ｍほどと大まかになるか、一段と精度良く通信設備を設置するビーコン等の場合（特願２０００−２２４５４０号）においても、高速に移動する移動体の中では、やはり現在の位置を測位できない。
【０００６】
その結果、ユーザは、電車等の移動体の中では、その移動体の移動位置に対応した所望のメッセージ情報を、通信端末から適宜受け取ることができないという問題がある。
【０００７】
そこで、本発明の目的は、移動体の移動位置に依存したメッセージ情報を通信端末に送信してユーザの便宜を図ることが可能な、情報通信装置、情報通信システム、並びに、情報通信方法を提供することにある。
【０００８】
【課題を解決するための手段】
本発明は、移動体の移動位置に対応した所望の移動関連情報を、最新のメッセージとして通信端末に送信する情報通信装置であって、前記移動体の移動位置を緯度経度に照らして測定する位置測定装置を用いて、前記位置測定装置により前記移動体の移動位置を取得し、位置情報を算出する算出手段と、時刻を取得する手段と、位置情報と送信メッセージ情報とを含む移動関連情報を、送信条件としての位置情報および時刻に対応付けして記憶する記憶手段と、前記算出した位置情報および前記取得した時刻が、前記記憶手段に記憶されている送信条件の位置情報および時刻に一致しているか否かを判断する更新判断手段と、前記送信条件の位置情報および時刻に一致しない場合、前記記憶手段に記憶されている移動関連情報を更新し、該更新された移動関連情報を前記通信端末に送信する手段と、前記送信条件の位置情報および時刻に一致した場合、該送信条件の位置情報および時刻に対応した移動関連情報を前記通信端末に送信する手段とを具えることによって、情報通信装置を構成する。
【０００９】
本発明は、移動位置に基づいて、通信端末に所望の移動関連情報を送信する情報通信システムであって、移動体と、前記移動体の内部に設置された、前記情報通信装置と、前記移動体の外部に設置され、該移動体の移動位置に関する情報を前記情報通信装置に送信する位置測定装置と、前記情報通信装置から、送信条件に基づいた所望の移動関連情報を受信する通信端末とを具えることによって、情報通信システムを構成する。
【００１０】
本発明は、移動体の移動位置に対応した所望の移動関連情報を、最新のメッセージとして通信端末に送信する情報通信方法であって、前記移動体の移動位置を緯度経度に照らして測定する位置測定装置を用いて、前記位置測定装置により前記移動体の移動位置を取得し、位置情報を算出する工程と、時刻を取得する工程と、位置情報と送信メッセージ情報とを含む移動関連情報を、送信条件としての位置情報および時刻に対応付けして記憶手段に記憶する工程と、前記算出した位置情報および前記取得した時刻が、前記記憶手段に記憶されている送信条件の位置情報および時刻に一致しているか否かを判断する工程と、前記送信条件の位置情報および時刻に一致しない場合、前記記憶手段に記憶されている移動関連情報を更新し、該更新された移動関連情報を前記通信端末に送信する工程と、前記送信条件の位置情報および時刻に一致した場合、該送信条件の位置情報および時刻に対応した移動関連情報を前記通信端末に送信する工程とを具えることによって、情報通信方法を提供する。
【００１１】
本発明は、移動位置に基づいて、通信端末に所望の移動関連情報を送信する情報通信方法であって、位置測定装置は、緯度経度に照らして測定された移動体の移動位置を示す情報を、前記移動体の内部に設置された情報通信装置に送信する工程を具え、前記情報通信装置は、前記受信した前記移動体の移動位置を取得し、位置情報を算出する工程と、時刻を取得する工程と、位置情報と送信メッセージ情報とを含む移動関連情報を、送信条件としての位置情報および時刻に対応付けして記憶手段に記憶する工程と、前記算出した位置情報および前記取得した時刻が、前記記憶手段に記憶されている送信条件の位置情報および時刻に一致しているか否かを判断する工程と、前記送信条件の位置情報および時刻に一致しない場合、前記記憶手段に記憶されている移動関連情報を更新し、該更新された移動関連情報を前記通信端末に送信する工程と、前記送信条件の位置情報および時刻に一致した場合、該送信条件の位置情報および時刻に対応した移動関連情報を前記通信端末に送信する工程とを具え、前記通信端末は、前記情報通信装置から、所望の送信条件に対応した移動関連情報を受信する工程を具えることによって、情報通信方法を提供する。
【００１２】
【発明の実施の形態】
以下、図面を参照して、本発明の実施の形態を詳細に説明する。
【００１３】
（システム構成）
本システムは、図１に示すように、移動体３０と、移動体３０の内部に設置された情報通信装置２０と、移動体３０の外部に設置された位置測定装置４０と、通信端末としての携帯端末１０とから構成される。
【００１４】
移動体３０は、例えば、バス、電車、飛行機、船、車等の移動する物体によって構成される。
【００１５】
位置測定装置４０は、GPS（Global  Positioning  System）等の位置測位装置によって構成される。この位置測定装置４０は、移動体３０の移動位置を測定し、測定した移動位置を示す位置情報１００（後述する図４参照）を情報通信装置２０に送信する。
【００１６】
情報通信装置２０は、移動体３０の移動位置を示す位置情報１００を位置測定装置４０から受信する。
【００１７】
携帯端末１０は、情報通信装置２０から、送信条件１５０に基づいた所望の移動関連情報２００（後述する図６参照）を受信する。ここでいう、移動関連情報２００とは、例えば、位置情報１００、カテゴリー情報、位置情報１００に依存したメッセージ情報２０１等を含むものである。
【００１８】
（位置情報送信装置）
位置情報送信装置２０の構成について説明する。
【００１９】
図１において、位置情報送信装置２０は、送受信部２１と、制御部２２と、記憶部２３と、位置取得部２４とを備える。
【００２０】
送受信部２１は、移動関連情報２００（図４に示すカテゴリー１３０を含む位置情報１００、図６に示す位置情報１００に依存したメッセージ情報２０１等）の送受信の際に用いられる。この場合、送信部と受信部とを分ける構成としてもよい。
【００２１】
制御部２２は、時計、ＣＰＵ等を備え、各部の統括的な制御を行う。
【００２２】
記憶部２３には、移動関連情報２００（すなわち、例えば、位置情報１００、位置情報１００に依存したメッセージ情報２０１等からなる）が、後述する図６に示すように、各送信条件１５０に関連付けされた状態で記憶されている。
【００２３】
位置取得部２４は、位置測定装置４０が複数の人工衛生等から送信される複数の電波を受信し、それら受信した電力値から移動体３０の移動位置を算出し、その算出データから位置情報１００を作成し、その位置情報１００を記憶部２８に渡す。なお、位置測定装置４０が近傍にある別の位置情報発信装置から送信される移動位置に関する情報を位置情報送信装置２０に転送し、位置取得部２４がその取得した移動位置に関する情報から位置情報１００を作成して記憶部２８に渡してもよい。
【００２４】
図２は、位置情報送信装置２０の通信例を示す。
【００２５】
位置情報送信装置２０は、通信端末としての携帯端末１０に対して、移動体３０の移動位置に関連した移動関連情報２００（位置情報１００、位置情報１００に依存したメッセージ情報２０１等）を送信する。
【００２６】
位置情報送信装置２０の通信には、微弱電波（Ｂｌｕｅｔｏｏｔｈ）を用いる。通信方式には、コネクションとしてＢｌｕｅｔｏｏｔｈ上のＩＰ（Ｉｎｔｅｒｎｅｔ  Ｐｒｏｔｏｃｏｌ）を、転送プロトコルとしてＨＴＴＰ（Hyper  Text  Transfer  Protocol）を用いる。また、記述方式には、コンテンツ記述としてＸＭＬ（eXtensible Markup Language）およびＨＴＭＬ（Hyper Text Makeup Language）を用いる。ただし、他の通信方式、記述方式を用いることも可能である。
【００２７】
このような位置情報送信装置２０を移動体３０に設置することにより、今まで位置測位手段の無かった場所でも、位置測位を行うことが可能になる。これにより、従来の位置測位技術を精度的に補助して向上させるだけではなく、カテゴリー情報（バスの中、電車の中といった情報）を送信することによって、マナーモード通信への自動切換え等の端末制御など、移動体３０の移動位置に依存したサービスの提供、および、そのサービスの補完作業を行うことができる。
【００２８】
また、位置情報送信装置２０は、移動体３０の移動位置を示す位置情報１００の他に、移動体３０の位置情報１００に依存した広告等のメッセージ情報２０１を送信することも可能である。
【００２９】
図３は、位置情報送信装置２０を、電車からなる移動体３０の内部に装備した場合の構成例を示す。
【００３０】
位置情報送信装置２０は、外部の例えば電車の屋上に設置された位置測定装置４０を介して電波を受信して、移動体３０の位置情報１００を取得する。
【００３１】
（位置情報）
図４は、位置情報送信装置２０の記憶部２３に記憶される位置情報１００のヘッダ部の構成例を示す。
【００３２】
位置情報１００には、緯度経度の精度レベル１１０と、位置情報１００の信頼性に関する情報（設置保証レベル）１２０と、カテゴリー１３０とから構成される。
【００３３】
精度レベル１１０は、例えば、セルＩＤレベル（１０ｋｍ）、ＰＨＳレベル（数１００ｍ）、首都圏住所レベル（１００ｍ）、ＤＧＰＳレベル（１０ｍ）等の各レベルに分けられる。
【００３４】
設置保証レベル１２０には、例えば、Ａレベル（優：ＤＣＭが設置して現地調査済み）、Ｂレベル（良：ＤＣＭショップで書類審査）、Ｃレベル（可：自由設置）の各レベルが含まれる。
【００３５】
カテゴリー１３０は、１）電車内、２）劇場、映画館、コンサートホール、３）病院、診療所、４）学校、予備校等に分けられる。
【００３６】
緯度経度の精度レベル１１０、カテゴリー１３０については、移動体３０に設置される段階で固定の値を予め入力しておき、緯度経度については取得した緯度経度の情報が付与される。
【００３７】
（システム動作）
次に、本システムの動作について説明する。
【００３８】
図１に示した本システムは、移動体３０の移動位置に基づいて、携帯端末１０に対して、所望の移動関連情報２００（すなわち、位置情報１００や、位置情報１００に依存したメッセージ情報２０１等を含む情報）を送信する情報通信処理を実行する。
【００３９】
以下、具体的な処理について説明する。
【００４０】
まず、位置測定装置４０は、電車等の移動体３０の現在の移動位置に関する情報を、移動体３０の内部に設けられた位置情報送信装置２０に送信する。
【００４１】
次に、位置情報送信装置２０は、位置測定装置４０から受信した移動位置に関する情報に基づいて、図５に示すフローチャートの処理を実行する。
【００４２】
図５は、制御部２２における処理の流れを示す。
【００４３】
ステップＳ１１では、位置測定装置４０を介して電波等の情報を受信し、該受信した情報に基づいて移動体３０の移動位置を算出し、位置情報１００を得る。また、これと同時に、制御部２２に内蔵された時計から現時点の時刻を取得する。
【００４４】
ステップＳ１２では、その算出した最新の位置情報１００、および、取得した時刻が、図６に示すような送信条件に一致しているか否かを判断する。
【００４５】
ただし、この判断に先だって、記憶部２３には、図６に示すような移動関連情報２００が、送信条件１５０に対応付けされた状態で予め記憶されているものとする。
【００４６】
図６は、送信条件１５０、および、その送信条件１５０に対応した移動関連情報２００の記述例１〜５を示す。
【００４７】
送信条件１５０には、情報を送信する時間帯１５１と、送信する送信場所１５２（ここでは、緯度経度を示すが、その他の電車内等のカテゴリーでもよい）が記述されている。
【００４８】
移動関連情報２００には、メッセージファイル名２００と、位置情報１００とが含まれる。この場合、送信される情報としては、メッセージファイル名２００ではその指定されたメッセージ情報が送信され、位置情報１００では現在の緯度経度が送信される。なお、この他に、例えば、地域情報、地域イベント情報等を送信してもよい。
【００４９】
ここで、記述例１を例に挙げて説明する。送信する時間帯１５１は「午前０時００分〜午前３時００分」、送信する場所１５２は「北緯１３５．６度、東経３４度〜北緯１３５．８度、東経３６度」の範囲とする。メッセージファイル名が「宣伝１．ｈｔｍｌ」の場合、その指定されたファイルのメッセージ情報（宣伝内容）が送信される。また、位置情報１００としては、その現在位置を示す緯度経度が送信される。
【００５０】
ステップＳ１３では、送信条件１５０に一致しないので、記憶部２３に記憶されている移動関連情報２００を必要に応じて更新する。
また、送信条件１５０を満たす移動関連情報２００（すなわち、位置情報１００やメッセージ情報としてのメッセージファイル名２０１等の送信メッセージ情報）が無い場合には、送信メッセージを更新しなくてもよいし、送信メッセージを単に削除するだけでもよい。
【００５１】
そして、このような更新処理を行った後、ステップＳ１４に進み、その更新された移動関連情報２００を携帯端末１０に送信する。
【００５２】
一方、ステップＳ１２で送信条件１５０に一致した場合には、送信条件１５０に対応した移動関連情報２００を携帯端末１０に送信する。
【００５３】
具体的には、図６に示した記述例１〜５の各内容を、送信条件１５０に示す時間帯と場所に送信する。
【００５４】
これに伴って、携帯端末１０では、位置情報送信装置２０から、所望の送信条件１５０に対応した移動関連情報２００、すなわち、位置情報１００や、メッセージファイル名２０１を受信する。
【００５５】
【発明の効果】
以上説明したように、本発明によれば、移動体の移動位置を取得して位置情報を算出すると共に時刻を取得し、位置情報と送信メッセージ情報とを含む移動関連情報を送信条件に対応付けして記憶し、算出した位置情報および取得した時刻が記憶されている送信条件に一致しているか否かを判断し、送信条件に一致しない場合は、記憶されている移動関連情報を必要に応じて更新し、該更新された移動関連情報を通信端末に送信し、一方、送信条件に一致した場合は、該送信条件に対応する移動関連情報を通信端末に送信するようにしたので、ユーザが高速に移動する移動体の中においても、携帯端末を通じて位置情報および位置情報に依存した各種のメッセージ情報を送信することが可能となり、これにより、ユーザに対して便宜を図ることができる。
【００５６】
また、本発明によれば、位置情報送信装置を移動体の中に設置し、携帯端末を通じてユーザに現在位置を知らせるようにしたので、第三者の検索又はナビゲーション等の面で便利となる。
【００５７】
また、本発明によれば、携帯端末に対して送信メッセージ情報として、広告塔の各種メッセージを送信するようにしたので、携帯端末のユーザの便宜を図ることができ、広告を送信するとで、広告主にとっても有益である。
【００５８】
また、本発明によれば、位置情報送信装置を移動体内に設置するようにしたので、今まで測位手段の無かった移動体の中においても位置測位を行うことが可能になるばかりか、カテゴリー的に補完することで、マナーモード通信への自動切換え等の端末制御など、場所依存のサービスをさらに充実することが可能となる。
【図面の簡単な説明】
【図１】本発明の実施の形態である、位置情報送信装置を移動体内に備えた情報通信システムの構成を示すブロック図である。
【図２】位置情報送信装置の通信例を示す説明図である。
【図３】位置情報送信装置を電車内に設置した場合の構成を示す説明図である。
【図４】位置情報のヘッダ部の構成例を示す説明図である。
【図５】位置情報送信における処理の流れを示すフローチャートである。
【図６】記憶部に記憶される送信条件および送信メッセージの記述例を示す説明図である。
【符号の説明】
１０  携帯端末
２０  位置情報送信装置
２１  送受信部
２２  制御部
２３  記憶部
２４  位置取得部
３０  移動体
４０  位置測定装置
１００  位置情報
１１０  精度レベル
１２０  設置保証レベル
１３０  カテゴリー
１５０  送信条件
１５１  時間帯
１５２  送信場所
２００  移動関連情報
２０１  メッセージファイル名
【図１】
0003810997.tif 000002
【図２】
0003810997.tif 000003
【図３】
0003810997.tif 000004
【図４】
0003810997.tif 000005
【図５】
0003810997.tif 000006
【図６】
0003810997.tif 000007